(57)【要約】【課題】簡単な操作で照明器具の照明状態を変えることができる照明操作装置および照明装置を提供する。【解決手段】照明操作装置１０は、照明器具３０と無線通信する第１の無線通信部１１と、自身の個別識別情報を記憶する第１のメモリ１２と、第１の無線通信部１１を介して照明器具３０に、照明器具３０を制御する制御命令を与える第１の制御部１３と、自重により吊り下げられた操作部１４と、操作部１４に接続され、操作部１４が所定方向に移動させられることで生じる力学的エネルギーをもとに発電し、発電により生じた電力を第１の制御部１３等に供給する発電部１５とを備える。第１の制御部１３は、操作部１４が移動させられて電力が供給されると、第１のメモリ１２から個別識別情報を読み出し、第１の無線通信部１１を介して照明器具３０に個別識別情報と制御命令とを与え、照明器具３０を制御する。【選択図】図１
2017139201.tif 000002
【特許請求の範囲】
【請求項１】
照明器具と無線通信する第１の無線通信部と、
自身の個別識別情報を記憶する第１のメモリと、
前記第１の無線通信部を介して前記照明器具に、前記照明器具を制御する制御命令を与える第１の制御部と、
自重により吊り下げられた操作部と、
前記操作部に接続され、前記操作部が所定方向に移動させられることで生じる力学的エネルギーをもとに発電し、前記発電により生じた電力を前記第１の制御部、前記第１のメモリおよび前記第１の無線通信部に供給する発電部と
を備え、
前記第１の制御部は、前記操作部が移動させられて前記電力が供給されると、前記第１のメモリから前記個別識別情報を読み出し、前記第１の無線通信部を介して前記照明器具に前記個別識別情報と前記制御命令とを与え、前記照明器具を制御する
照明操作装置。
【請求項２】
前記操作部は、ひも体を含み、
前記発電部は、前記操作部が把持されながら鉛直下方向に移動させられることで生じる力学的エネルギーをもとに発電する
請求項１に記載の照明操作装置。
【請求項３】
前記操作部は、棒体であり、
前記発電部は、前記操作部が把持されながら鉛直下方向または鉛直上方向に移動させられることで生じる力学的エネルギーをもとに発電する
請求項１に記載の照明操作装置。
【請求項４】
前記発電部は、前記力学的エネルギーをもとに、圧電効果または電磁誘導を利用して発電する
請求項１〜３のいずれか１項に記載の照明操作装置。
【請求項５】
さらに、
前記第１の無線通信部、前記第１のメモリ、前記第１の制御部および前記発電部を収納するケースを有し、
前記操作部の上部は前記ケース内の前記発電部に接続され、前記操作部の下部は前記ケースの外に突き出している
請求項１〜４のいずれか１項に記載の照明操作装置。
【請求項６】
前記ケースの外面には、前記ケースを他部材に取り付けるための取付部が設けられている
請求項５に記載の照明操作装置。
【請求項７】
さらに、前記照明器具に前記個別識別情報を伝達する第１のＩＤ情報受渡部を有し、
前記照明器具を制御するのに先立ち、
前記第１の制御部は、前記第１のメモリに記憶された前記個別識別情報を前記第１のＩＤ情報受渡部を介して前記照明器具へ伝達する
請求項１〜６のいずれか１項に記載の照明操作装置。
【請求項８】
さらに、外部から前記個別識別情報を受け取る第１のＩＤ情報受渡部を有し、
前記照明器具を制御するのに先立ち、
前記第１の制御部は、前記第１のＩＤ情報受渡部にて外部から受け取った前記個別識別情報を前記第１のメモリに記憶させる
請求項１〜６のいずれか１項に記載の照明操作装置。
【請求項９】
照明器具と、
請求項１〜８のいずれか１項に記載の照明操作装置と
を備え、
前記照明器具は、
光源と、
前記照明操作装置の第１の無線通信部と無線通信を行う第２の無線通信部と、
前記照明操作装置の個別識別情報を記憶する第２のメモリと、
前記第２の無線通信部により受信した前記照明操作装置の個別識別情報を、前記第２のメモリに記憶されている個別識別情報と照合し、照合が成立した場合に、前記第２の無線通信部で受信した前記照明器具を制御する制御命令にもとづき、前記光源の動作を制御する第２の制御部と
を備える照明装置。
【請求項１０】
前記第２の制御部は、前記第２の無線通信部を介して前記照明操作装置からの前記制御命令を１つ受け付けるごとに、
前記光源の点灯、調光および消灯を所定の順で切り替える
請求項９に記載の照明装置。
【請求項１１】
さらに、前記照明器具は、外部から前記個別識別情報を受け取る第２のＩＤ情報受渡部を有し、
前記照明器具が前記照明操作装置で制御されるのに先立ち、
前記第２の制御部は、前記第２のＩＤ情報受渡部にて外部から受け取った前記個別識別情報を前記第２のメモリに記憶させる
請求項９に記載の照明装置。
【請求項１２】
さらに、前記照明器具は、前記照明操作装置に前記個別識別情報を伝達する第２のＩＤ情報受渡部を有し、
前記照明器具が前記照明操作装置で制御されるのに先立ち、
前記第２の制御部は、前記第２のメモリに記憶されている前記個別識別情報を前記第２のＩＤ情報受渡部を介して前記照明操作装置へ伝達する
請求項９に記載の照明装置。
【発明の詳細な説明】
【技術分野】
【０００１】
本発明は、照明を操作するための照明操作装置、および、照明操作装置を用いた照明装置に関する。
【背景技術】
【０００２】
昨今、天井等に設置されている照明器具を無線通信で操作することができる照明操作装置が提案され、脚光を浴びている。
【０００３】
この種の照明操作装置の一つとして、タブレット端末や携帯電話などが知られている。例えば、特許文献１には、タブレット端末の表示部に表示された操作方法に従ってタブレット端末を操作することで、照明器具の照明状態を調整する技術が開示されている。
【先行技術文献】
【特許文献】
【０００４】
【特許文献１】特開２０１３−１１５０３９号公報
【発明の概要】
【発明が解決しようとする課題】
【０００５】
特許文献１に開示された技術では、タブレット端末の無線通信により照明器具の照明状態を調整することができるので、照明器具や、壁に固定されたスイッチの傍まで行かなくても、照明器具の照明状態を調整することができる。
【０００６】
しかしながら、例えば、夜中に自宅に戻った場合、暗がりの中でタブレット端末を操作して操作画面を表出し、さらにその画面を操作して照明器具を点灯させるのは、早く明るくしたいと願う使用者にとっては、煩わしく、使い勝手の悪いものとなる。
【０００７】
そこで、本発明は、簡単な操作で照明器具の照明状態を変えることのできる照明操作装置および照明装置を提供する。
【課題を解決するための手段】
【０００８】
本発明の照明操作装置の一態様は、照明器具と無線通信する第１の無線通信部と、自身の個別識別情報を記憶する第１のメモリと、前記第１の無線通信部を介して前記照明器具に、前記照明器具を制御する制御命令を与える第１の制御部と、自重により吊り下げられた操作部と、前記操作部に接続され、前記操作部が所定方向に移動させられることで生じる力学的エネルギーをもとに発電し、前記発電により生じた電力を前記第１の制御部、前記第１のメモリおよび前記第１の無線通信部に供給する発電部とを備え、前記第１の制御部は、前記操作部が移動させられて前記電力が供給されると、前記第１のメモリから前記個別識別情報を読み出し、前記第１の無線通信部を介して前記照明器具に前記個別識別情報と前記制御命令とを与え、前記照明器具を制御する。
【０００９】
また、本発明の照明装置の一態様は、照明器具と、照明操作装置とを備え、前記照明器具は、光源と、前記照明操作装置の第１の無線通信部と無線通信を行う第２の無線通信部と、前記照明操作装置の個別識別情報を記憶する第２のメモリと、前記第２の無線通信部により受信した前記照明操作装置の個別識別情報を、前記第２のメモリに記憶されている個別識別情報と照合し、照合が成立した場合に、前記第２の無線通信部で受信した前記照明器具を制御する制御命令にもとづき、前記光源の動作を制御する第２の制御部とを備える。
【発明の効果】
【００１０】
簡単な操作で照明器具の照明状態を変えることができる。
【図面の簡単な説明】
【００１１】
【図１】実施の形態１に係る照明装置であって、照明装置に含まれる照明操作装置および照明器具を示す図である。
【図２】実施の形態１に係る照明操作装置の斜視図である。
【図３】実施の形態１に係る照明操作装置の正面図である。
【図４】実施の形態１に係る照明操作装置の制御構成を示すブロック図である。
【図５】実施の形態１に係る照明器具の制御構成を示すブロック図である。
【図６】実施の形態１に係る照明操作装置の動作を示すフローチャートである。
【図７】実施の形態１に係る照明器具の動作を示すフローチャートである。
【図８】実施の形態１の変形例１における照明操作装置の斜視図である。
【図９】実施の形態１の変形例２における照明操作装置の斜視図ある。
【図１０】実施の形態１の変形例３における照明操作装置の正面図である。
【図１１】実施の形態１の変形例４における照明操作装置の正面図である。
【図１２】実施の形態２に係る照明装置であって、個別識別情報を所有していない照明器具とペアリングを行う場合を説明する図である。
【図１３】図１２に示すペアリングを行う際の動作フローを示す図である。
【図１４】実施の形態２に係る照明装置であって、個別識別情報を所有していない照明操作装置とペアリングを行う場合を説明する図である。
【図１５】図１４に示すペアリングを行う際の動作フローを示す図である。
【発明を実施するための形態】
【００１２】
以下、実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略または簡略化する。
【００１４】
（実施の形態１）
＜照明装置の概要＞
図１は実施の形態１に係る照明装置１を示す図である。図２は照明操作装置１０の斜視図であり、図３は照明操作装置１０の正面図であり、図３は照明操作装置１０の制御構成を示すブロック図である。
【００１５】
図１に示されるように、照明装置１は、照明器具３０と照明操作装置１０とを備えている。照明器具３０は、例えばシーリングライトであり、住宅等の建物の造営材（天井など）に設置される。照明操作装置１０は、無線通信により、照明器具３０の点灯、調光または消灯などを操作する操作スイッチである。図１では、照明器具３０から離れた位置に、照明操作装置１０および支持台５０が配置されている。支持台５０は下板、支柱および上板からなる箱状の置物であり、照明操作装置１０は支持台５０の上板に取り付けられている。
【００１６】
次に、照明操作装置１０および照明器具３０の構成についてそれぞれ説明する。
【００１７】
＜照明操作装置の構成＞
照明操作装置１０は、図３および図４に示されるように、第１の無線通信部１１と、第１のメモリ１２と、第１の制御部１３と、第１のＩＤ情報受渡部１６と、発電部１５と、操作部１４とを備えている。
【００１８】
照明操作装置１０のうち、第１の無線通信部１１、第１のメモリ１２、第１の制御部１３、第１のＩＤ情報受渡部１６および発電部１５は、直方体のケース（筺体）２０内に収納されている。ケース２０は、電波を透過する材料（例えば、樹脂など）により構成されている。操作部１４は、その大部分がケース２０の外であって鉛直下方向に突き出している。
【００１９】
図２および図３に示されるように、ケース２０の上側の外面には、ケース２０を支持台５０に取り付けるための取付部２０ａが設けられている。本実施の形態では、ケース２０は支持台５０に接着固定されている。なお、接着に限られず、ねじやひもを用いてケース２０を支持台５０に固定することもできる。ねじやひもを用いると、支持台５０に対してケース２０が着脱可能になり、照明操作装置１０を容易に持ち運びすることができる。
【００２０】
操作部１４は、自重により鉛直方向に吊り下げられている。操作部１４は、照明操作装置１０を使用する者が直接手を触れて操作するスイッチ部分であり、例えば、使用者が把持して容易に操作できる構造となっている。
【００２１】
具体的には、操作部１４は、線状のひも体２４ａと、ひも体２４ａの下部に設けられた突起状のつまみ２４ｂとにより構成されている。ひも体２４ａは、例えば、柔軟性を有する糸、または、可撓性を有するワイヤである。操作部１４は、上部１４ａがケース２０内の発電部１５に接続されている。そして、操作部１４は、錘の役割を有するつまみ２４ｂにより鉛直方向に延び、操作部１４の下部１４ｂがケース２０の外に引き出されている。この構造により、照明操作装置１０を使用する者が、操作部１４を把持しながら容易に操作することができる。本実施の形態では、操作部１４は、ケース２０の外へ１００ｍｍ以上５００ｍｍ以下突き出している。
【００２２】
なお、操作部１４は、糸やワイヤがリング状またはＵ字状に曲げ成形された形状であってもよい。すなわち、操作部１４は、自重により鉛直方向に吊り下げられ、操作部１４に触れる者が、容易につかんだりつまんだりすることができる形状であればよい。
【００２３】
次に、ケース２０内に設けられた、第１の無線通信部１１、第１のメモリ１２、第１の制御部１３、第１のＩＤ情報受渡部１６および発電部１５について順に説明する。
【００２４】
第１の無線通信部１１は、アンテナおよび無線モジュールにより構成される。操作部１４を操作することで、第１の無線通信部１１から電波信号が出力され、この電波信号がケース２０を透過して外部に送信される。第１の無線通信部１１により、照明操作装置１０は、所定の距離内に位置する照明器具３０と通信可能となっている。照明操作装置１０と照明器具３０との通信方式としては、９２０ＭＨｚ帯または２．４ＧＨｚ帯の周波数を利用した特定小電力無線、Zigbee（登録商標）、Bluetooth（登録商標）、または、ＷｉＦｉ（登録商標）などの通信方式が用いられる。
【００２５】
第１のメモリ１２は、データを書き込み保存することができるＲＡＭ、および、プログラムを格納しているＲＯＭなどにより構成される。第１のメモリ１２には、照明操作装置１０の自身の個別識別情報（ＩＤ情報、ＩＤ：Identification）が記憶される。
【００２６】
第１の制御部１３は、ＣＰＵを含む制御回路により構成される。第１の制御部１３は、第１の無線通信部１１を介して照明器具３０に、個別識別情報と制御命令とを送信する。第１の制御部１３は、送信した個別識別情報が照明器具３０に予め登録されている場合に限り、その照明器具３０の照明状態を制御することができる。
【００２７】
制御命令は、具体的には、照明器具３０の点灯、調光および消灯を制御するための命令である。ただし、本実施の形態では、制御命令は、操作部１４を引っ張って移動させることにより発生する１種類の命令（コマンド）からなる。そのため、照明器具３０の点灯、調光および消灯は、後述するように、照明器具３０が受けた制御命令の累積回数に応じて、照明器具３０側で判断され実行される。
【００２８】
第１のＩＤ情報受渡部１６は、例えば、ＵＳＢプラグであり、ケース（筺体）２０に取り付けられた回転軸１６ａを中心に回転し、接続用の端子がケース２０の外に出る構造となっている（図１２の（ａ）参照）。
【００２９】
第１のＩＤ情報受渡部１６は、第１の無線通信部１１とは異なるルートで、外部機器と個別識別情報の受け渡しを行う通信インターフェースである。例えば、照明操作装置１０と照明器具３０とのペアリング（２つの機器間で信号の送受信を可能に設定すること）を行う場合に、第１のＩＤ情報受渡部１６を介して個別識別情報の受け渡しが行われる。ペアリングを行う場合は、外部機器から第１のＩＤ情報受渡部１６を介して照明操作装置１０に電力が供給されることが望ましい。
【００３０】
発電部１５は、照明操作装置１０を作動させるための電力を発生する電力発生源である。発電部１５は、操作部１４が所定方向（本実施の形態では鉛直方向）に移動させられることで力学的エネルギーが付与され、その力学的エネルギーを電気エネルギーに変換することで発電する。
【００３１】
発電部１５としては、物理的変形を電圧に変換する圧電効果を利用した圧電素子が用いられる。発電部１５は、圧電素子と、操作部１４に接続される引き金と、引き金の操作に連動して圧電素子に衝突する叩き金とにより構成される。この構造によれば、操作部１４を使って引き金を引き、叩き金で圧電素子を叩いて変形させることで、電圧を発生することができる。
【００３２】
また、発電部１５として、圧電素子の代わりに、電磁誘導を利用した発電機を用いることができる。この場合、発電部１５は、例えば、１対のコイルと、コイルの磁芯として設けられコイル軸方向に突出した１対のヨークと、突出した１対のヨークの間に回転可能に配置されて操作部１４に接続された磁石とにより構成される。これによれば、操作部１４を使って磁石を回転させ、ヨークに対する磁石の角度を変化させることで、電圧を発生させることができる。
【００３３】
このようにして、発電部１５は、発電した電力を第１の制御部１３、第１のメモリ１２および第１の無線通信部１１に供給することで、照明操作装置１０を作動させる。
【００３４】
以上の構成により、本実施の形態に係る照明操作装置１０では、操作部１４が鉛直方向に移動させられることで、発電部１５にて電力を発生させ、その電力を第１の制御部１３、第１のメモリ１２および第１の無線通信部１１に供給している。電力供給を受けた第１の制御部１３は、第１のメモリ１２から個別識別情報を読み出し、第１の無線通信部１１を介して照明器具３０に、照明器具３０の制御命令と個別識別情報とを送信する。これにより、照明操作装置１０は、その個別識別情報が予め登録されている照明器具３０を制御することが可能となっている。
【００３５】
なお、照明操作装置１０は、照明器具３０の照明状態を制御する場合は発電部１５から供給された電力で作動し、外部機器（例えば照明器具３０）とペアリングを行う場合は外部機器から供給された電力で作動する。第１の制御部１３は、発電部１５または外部機器のどちらから電力が供給されているかを検出し、第１の無線通信部１１を用いて個別識別情報を送信するか、第１のＩＤ情報受渡部１６を用いて個別識別情報の受け渡しを行うかを判断できるようになっている。
【００３６】
＜照明器具の構成＞
照明器具３０は、前述したように、天井などに設置されるシーリングライトであり、器具本体４１と、器具本体４１を覆うグローブ４２とを備えている。グローブ４２は、透光性を有する樹脂材料により形成されている。
【００３７】
器具本体４１は、図５に示されるように、光源３４と、第２の無線通信部３１と、第２のメモリ３２と、第２の制御部３３と、第２のＩＤ情報受渡部３６とを備えている。
【００３８】
光源３４は、例えば、白色光、赤色光、緑色光または青色光を発する複数の発光ダイオードを含んでいる。光源３４は、第２の制御部３３により点灯、調光および消灯を制御される。
【００３９】
第２の無線通信部３１は、アンテナおよび無線モジュールにより構成される。第２の無線通信部３１は、所定の距離内に位置する照明操作装置１０と通信可能となっており、照明操作装置１０から、前述した個別識別情報および制御命令を受信する。
【００４０】
第２のメモリ３２は、データを書き込み保存することができるＲＡＭ、および、プログラムを格納しているＲＯＭなどにより構成されている。第２のメモリ３２には、照明器具３０を操作する装置として予め許可された照明操作装置１０の個別識別情報が登録されている。照明操作装置１０は、送信した個別識別情報が、第２のメモリ３２に登録されている個別識別情報と一致する場合に限り、照明器具３０を制御することができる。
【００４１】
第２の制御部３３は、ＣＰＵを含む制御回路により構成される。第２の制御部３３には、光源３４を点灯させるための点灯回路が含まれている。第２の制御部３３は、第２の無線通信部３１を介して、照明操作装置１０から、前述した個別識別情報および制御命令を受け取る。制御命令は、具体的には、照明器具３０の点灯、調光および消灯を制御するための命令である。
【００４２】
ただし、照明操作装置１０から送られる制御命令は、操作部１４を引っ張って移動させることにより発生する１種類の命令（コマンド）からなるので、照明器具３０の点灯、調光および消灯は、照明器具３０側にて制御されるようになっている。そのため、第２の制御部３３には、照明操作装置１０から制御命令を受けた回数を数えるカウンタ３３ａが含まれている。カウンタ３３ａは、例えば、照明操作装置１０からの制御命令を１つ受け付けるごとに、カウントアップされ、第２の制御部３３は、カウンタ３３ａのカウントアップに対応して、光源３４の点灯、調光および消灯が順に切り替わるように制御する。
【００４３】
第２のＩＤ情報受渡部３６は、例えば、ＵＳＢレセプタクルであり、接続用の端子が外に出ている。第２のＩＤ情報受渡部３６は、第２の無線通信部３１とは別に、外部機器と個別識別情報の受け渡しを行う通信インターフェースである。例えば、照明操作装置１０とペアリングを行う場合は、照明操作装置１０に電力の供給を行い、第１のＩＤ情報受渡部１６を介して個別識別情報の受け渡しが行われる。
【００４４】
＜照明操作装置および照明器具の動作＞
次に、照明操作装置１０および照明器具３０の動作について説明する。図６は、照明操作装置１０の動作を示すフローチャートであり、図７は、照明器具３０の動作を示すフローチャートである。
【００４５】
まず、照明操作装置１０にて、操作部１４が鉛直方向に移動させられ（下方向に引っ張られ）、発電部１５に力学的エネルギーが付与される。そして発電部１５にて、力学的エネルギーが電気エネルギーに変換され、電力が発生する（Ｓ１１）。この電力は、第１の制御部１３、第１の無線通信部１１および第１のメモリ１２に供給される。
【００４６】
電力が供給された第１の制御部１３は、第１のメモリ１２から個別識別情報を読み出し、第１の無線通信部１１を介して、照明器具３０に個別識別情報と制御命令を送信する（Ｓ１２）。
【００４７】
なお、個別識別情報と制御命令とをひとまとめとする所定のコマンドを、照明操作装置１０と照明器具３０との間の通信規約で予め定め、その所定のコマンドを送信することで、実質的に個別識別情報と制御命令を送るようにしてもよい。
【００４８】
このように、照明操作装置１０は、操作部１４を鉛直方向に移動させるという簡単な操作により、照明器具３０に個別識別情報と制御命令とを送信することができる。
【００４９】
一方、照明器具３０は、照明操作装置１０から送信された個別識別情報および制御命令を受信する（Ｓ２１）。
【００５０】
第２の制御部３３は、照明操作装置１０から送信された個別識別情報と、第２のメモリ３２に保存されている個別識別情報とが一致するかの判断を行う（Ｓ２２）。照合が成立しなければ（Ｓ２２のＮｏ）、第２の制御部３３は、その照明操作装置１０から送信された制御命令を実行せず、照明器具３０の現状の照明状態を維持する。照合が成立すれば（Ｓ２２のＹｅｓ）、第２の制御部３３は、照明器具３０の照明状態を変更する準備に入る。具体的には、照明器具３０の照明状態を左右するカウンタ３３ａのカウンタ値に１を加算する（Ｓ２３）。
【００５１】
次に、第２の制御部３３は、カウンタ３３ａのカウンタ値が１、２または３であるか、または、いずれにも該当しないかを判断する（Ｓ２４）。
【００５２】
カウンタ値が、１、２、３のいずれにも該当しない場合は（Ｓ２４のＮｏ）、光源３４を消灯させ（Ｓ２９）、カウンタ値を０に戻し（Ｓ３０）、照明器具３０の動作を終了する。
【００５３】
カウンタ値が１、２または３である場合は（Ｓ２４のＹｅｓ）、次のステップに進み、カウンタ値が１、２または３のうちのどれ該当するかを判断する（Ｓ２５）。
【００５４】
第２の制御部３３は、カウンタ値が１であれば光源３４を１００％点灯し（Ｓ２６）、カウンタ値が２であれば光源３４を５０％点灯し（Ｓ２７）、カウンタ値が３であれば光源３４を常備灯にし（Ｓ２８）、その後、照明器具３０の照明状態の制御を終了する。なお、照明操作装置１０から、再び個別識別情報および制御命令を受信した場合は、第２の制御部３３は、図７に示すフローチャートを実行する。
【００５５】
このように、照明器具３０は、照明操作装置１０からの簡単な制御命令を１つ受け付けるごとに、照明器具３０の点灯、消灯および調光を順に変更するようになっている。
【００５６】
なお、図７では、照明操作装置１０を使って、消灯状態の照明器具３０を１００％点灯する例（Ｓ２６）を示したが、消灯状態から点灯状態に変更する場合は、照明操作装置１０と異なるスイッチを用いることもできる。例えば、室内の側壁に壁スイッチを設け、壁スイッチをＯＮしたときに照明器具３０を１００％点灯させてもよい。そして、それ以降の調光または消灯を、照明操作装置１０で行ってもよい。
【００５７】
＜効果等＞
以上、本実施の形態に係る照明操作装置１０は、照明器具３０と無線通信する第１の無線通信部１１と、自身の個別識別情報を記憶する第１のメモリ１２と、第１の無線通信部１１を介して照明器具３０に、照明器具３０を制御する制御命令を与える第１の制御部１３と、自重により吊り下げられた操作部１４と、操作部１４に接続され、操作部１４が所定方向に移動させられることで生じる力学的エネルギーをもとに発電し、発電により生じた電力を第１の制御部１３、第１のメモリ１２および第１の無線通信部１１に供給する発電部１５とを備えている。そして、第１の制御部１３は、操作部１４が移動させられて電力が供給されると、第１のメモリ１２から個別識別情報を読み出し、第１の無線通信部１１を介して照明器具３０に個別識別情報と制御命令とを与え、照明器具３０を制御するように構成されている。
【００５８】
これによれば、吊り下げられた操作部１４を所定方向に移動させるという簡単な操作により、照明操作装置１０を用いて、照明器具３０の照明状態を制御することができる。
【００５９】
また、操作部１４は、ひも体２４ａを含み、発電部１５は、操作部１４が把持されながら鉛直下方向に移動させられることで生じる力学的エネルギーをもとに発電されてもよい。
【００６０】
このように、操作部１４がひも体である場合は、操作部１４を把持して移動させるという照明操作装置１０の操作を容易に行うことができる。
【００６１】
また、発電部１５は、力学的エネルギーをもとに、圧電効果または電磁誘導を利用して発電されてもよい。
【００６２】
これによれば、操作部１４の移動に伴う力学的エネルギーを効率よく電気エネルギーに変換し、照明操作装置１０を作動させることができる。また、照明操作装置１０にバッテリーを内蔵する必要がなくなり、照明操作装置１０を小型化することができる。
【００６３】
また、照明操作装置１０は、さらに、第１の無線通信部１１、第１のメモリ１２、第１の制御部１３および発電部１５を収納するケース２０を有し、操作部１４の上部１４ａはケース２０の発電部１５に接続され、操作部１４の下部１４ｂはケース２０の外に突き出していてもよい。
【００６４】
これによれば、ケース２０から突き出した操作部１４の下部１４ｂを把持しやすくなり、照明操作装置１０の操作を容易に行うことができる。また、第１の無線通信部１１、第１のメモリ１２、第１の制御部１３および発電部１５などがケース２０内に収納されているので、照明操作装置１０を持ち歩いたり就寝場所に仮置きしたりして、照明器具３０の照明状態をすぐに変更することができる。つまり、照明操作装置１０を手元に置いて簡単に操作することができるので、本実施の形態に係る照明操作装置１０は、極めて使い勝手のよいものとなる。
【００６５】
また、ケース２０の外面には、ケース２０を他部材に取り付けるための取付部２０ａが設けられていてもよい。
【００６６】
これによれば、照明操作装置１０を使用者の操作しやすい位置に取り付けることができるので、照明操作装置１０の操作性を向上させることができる。例えば、照明操作装置１０を、室内の入り口などに設置した場合には、室内に入ってすぐに照明器具３０の照明状態を変更することができる。
【００６７】
また、本実施の形態に係る照明装置１は、照明器具３０と、照明操作装置１０とを備え、照明器具３０は、光源３４と、照明操作装置１０の第１の無線通信部１１と無線通信を行う第２の無線通信部３１と、照明操作装置１０の個別識別情報を記憶する第２のメモリ３２と、第２の無線通信部３１により受信した照明操作装置１０の個別識別情報を、第２のメモリ３２に記憶されている個別識別情報と照合し、照合が成立した場合に、第２の無線通信部３１で受信した照明器具３０を制御する制御命令にもとづき、光源３４の動作を制御する第２の制御部３３とを備えている。
【００６８】
これによれば、照明操作装置１０の簡単な操作により、照明器具３０の照明状態を変更することのできる照明装置１を提供することができる。
【００６９】
また、第２の制御部３３は、第２の無線通信部３１を介して照明操作装置１０からの制御命令を１つ受け付けるごとに、光源３４の点灯、調光および消灯を所定の順で切り替えてもよい。
【００７０】
これによれば、照明操作装置１０の簡単な制御命令を１つ受け付けるごとに、光源３４の点灯、調光および消灯を変更することのできる照明装置１を提供することができる。
【００７１】
＜変形例１＞
図８は、実施の形態１の変形例１における照明操作装置１０Ａを示す斜視図である。変形例１に示す照明操作装置１０Ａでは、操作部１４が棒体２４ｃとなっている。
【００７２】
変形例１の操作部１４の形状は、角柱状であってもよいし、円柱状であってもよい。操作部１４は、変形しにくい材質からなり、例えば、樹脂または金属が用いられる。操作部１４は、上部１４ａがケース２０内の発電部１５に接続されている。そして、操作部１４は、自重により鉛直方向に沿って配置され、操作部１４の下部１４ｂがケース２０の外に突き出している。この構造により、照明操作装置１０Ａを使用する者が、操作部１４を把持しながら鉛直下方向に引っ張ったり、鉛直上方向に突き上げたりして容易に操作できるようになっている。
【００７３】
変形例１に示すに照明操作装置１０Ａでは、操作部１４が把持されながら鉛直方向（下方向または上方向）に移動させられることで、発電部１５に力学的エネルギーが付与される。そして、発電部１５にて力学的エネルギーが電気エネルギーに変換され、電力が生成される。この電力が、第１の制御部１３、第１の無線通信部１１および第１のメモリ１２に供給され、照明操作装置１０Ａが作動する。照明操作装置１０Ａにおいても、照明操作装置１０と同様に、吊り下げられた操作部１４を所定方向に移動させるという簡単な操作により、照明器具３０の照明状態を制御することができる。
【００７４】
また、変形例１に示す照明操作装置１０Ａは、操作部１４が棒体２４ｃで変形しにくいので、操作部１４を鉛直上方向にも移動させることができる。例えば、操作部１４を鉛直上方向に移動させることで、カウンタ３３ａのカウンタ値を減算し、照明器具３０の照明状態を変更することもできる。
【００７５】
＜変形例２＞
図９は、実施の形態１の変形例２における照明操作装置１０Ｂを示す斜視図である。変形例２に示す照明操作装置１０Ｂでは、ケース２０の外面にひも状のストラップが設けられ、このストラップが取付部２０ａとなっている。照明操作装置１０Ｂでは、ケース２０にストラップが設けられているので、照明操作装置１０Ｂを容易に鞄から取り出したり、容易に持ち運んだりできる。また、支持台５０の上板にフックを設けた場合、そのフックにストラップを引っ掛けて、照明操作装置１０Ｂを操作することもできる。
【００７６】
＜変形例３および変形例４＞
図１０は、実施の形態１の変形例３における照明操作装置１０Ｃを示す正面図である。変形例３に示す照明操作装置１０Ｃでは、照明操作装置１０Ｃの取付部２０ａが、照明器具３０のグローブ４２の中央に取り付けられている。
【００７７】
図１１は、実施の形態１の変形例４における照明操作装置１０Ｄを示す正面図である。変形例４に示す照明操作装置１０Ｄでは、照明操作装置１０Ｄの取付部２０ａが、器具本体４１の側面に取り付けられている。
【００７８】
上記変形例３または４では、照明操作装置１０Ｃ、１０Ｄを照明器具３０に直接取り付けることができる。これにより、照明器具３０に対応する照明操作装置１０Ｃ、１０Ｄを容易に手に取ることができ、照明器具３０の照明状態を容易に変更することができる。
【００７９】
（実施の形態２）
実施の形態２では、照明操作装置１０と照明器具３０とのペアリングについて説明する。ペアリングは、照明操作装置１０や照明器具３０に個別識別情報が書き込まれていないとき、または、個別識別情報がなんらかの理由により消去されたときなど、照明器具３０の制御状態を制御するのに先立って行われる。
【００８０】
以下、ペアリングを行う場合として、
（１）照明器具３０が照明操作装置１０の個別識別情報を所有していない場合
（２）照明操作装置１０が自身の個別識別情報を所有していない場合
の２通りに分けて説明する。
【００８１】
＜（１）照明器具が照明操作装置の個別識別情報を所有していない場合＞
図１２の（ａ）は、個別識別情報を所有している照明操作装置１０であり、図１２の（ｂ）は、この照明操作装置１０と個別識別情報を所有していない照明器具３０とを接続した状態を示している。
【００８２】
まず、図１２の（ａ）に示すように、第１のＩＤ情報受渡部１６を、回転軸１６ａを中心に９０°回転させ、第１のＩＤ情報受渡部１６の端子をケース２０の外に出す。そして、図１２の（ｂ）に示すように、照明操作装置１０の第１のＩＤ情報受渡部１６の端子を、照明器具３０の第２のＩＤ情報受渡部３６の端子に接続する。
【００８３】
図１３は、ペアリングを行う際の動作フローを示す図である。
【００８４】
まず、前述したように、ＩＤ情報受渡部１６、３６を互いに接続する（Ｓ４１）。
【００８５】
照明器具３０は、ＩＤ情報受渡部１６、３６の接続を検知すると、ＩＤ情報受渡部１６、３６を介して照明操作装置１０に電力を供給する（Ｓ４２）。
【００８６】
照明操作装置１０は、その電力を受給することで動作開始する（Ｓ４３）。そして、第１の制御部１３が、第１のメモリ１２から自身の個別識別情報を読み出し、その個別識別情報をＩＤ情報受渡部１６、３６を介して照明器具３０に伝達する（Ｓ４４）。
【００８７】
照明器具３０は、その個別識別情報を受け取り、第２の制御部３３は、その個別識別情報を第２のメモリ３２に書き込み記憶させる（Ｓ４５）。その後、照明器具３０は、照明操作装置１０への電力供給を停止する（Ｓ４６）。
【００８８】
電力供給を停止された照明操作装置１０は動作停止する（Ｓ４７）。以上の動作フローにより、照明操作装置１０と照明器具３０とのペアリングを終了する。
【００８９】
＜効果等＞
以上説明したように、本実施の形態に係る照明操作装置１０は、さらに、照明器具３０に個別識別情報を伝達する第１のＩＤ情報受渡部１６を有している。そして、照明器具３０を制御するのに先立ち、第１の制御部１３は、第１のメモリ１２に記憶された個別識別情報を第１のＩＤ情報受渡部１６を介して照明器具３０へ伝達する。
【００９０】
これによれば、簡単な操作で照明器具３０に個別識別情報を伝達し、照明操作装置１０と照明器具３０とのペアリングを容易に行うことができる。
【００９１】
また、本実施の形態に係る照明装置１は、照明器具３０が、外部から個別識別情報を受け取る第２のＩＤ情報受渡部３６を有している。そして、照明操作装置１０で制御されるのに先立ち、第２の制御部３３は、第２のＩＤ情報受渡部３６にて外部から受け取った個別識別情報を第２のメモリ３２に記憶させる。
【００９２】
これによれば、照明装置１では、簡単な操作で照明器具３０に個別識別情報を伝達し、照明操作装置１０と照明器具３０とのペアリングを容易に行うことができる。
【００９３】
なお、図１２では、照明操作装置１０と照明器具３０とを端子接続させてペアリングする例を示したが、ペアリング方法はこれに限られない。例えば、個別識別情報を所有する外部機器（ライター）を照明器具３０の第２のＩＤ情報受渡部３６に端子接続してペアリングを行うこともできる。
【００９４】
また、ＮＦＣ（Near Field Communication）規格を利用してペアリングを行うこともできる。例えば、第２のＩＤ情報受渡部３６を無線通信可能な無線モジュールで構成し、個別識別情報を所有したＩＣカードを第２のＩＤ情報受渡部３６に接近させることで、照明器具３０に個別識別情報を伝達してもよい。
【００９５】
＜（２）照明操作装置が自身の個別識別情報を所有していない場合＞
図１４の（ａ）は個別識別情報を所有していない照明操作装置１０であり、（ｂ）はこの照明操作装置１０と個別識別情報を所有している照明器具３０とを接続した状態を示している。
【００９６】
まず、図１４の（ａ）に示すように、第１のＩＤ情報受渡部１６を、回転軸１６ａを中心に９０°回転させ、第１のＩＤ情報受渡部１６の端子をケース２０の外に出す。そして、図１４の（ｂ）に示すように、照明操作装置１０の第１のＩＤ情報受渡部１６の端子を、照明器具３０の第２のＩＤ情報受渡部３６の端子に接続する。
【００９７】
図１５は、ペアリングを行う際の動作フローを示す図である。
【００９８】
まず、前述したように、ＩＤ情報受渡部１６、３６とを互いに接続する（Ｓ５１）。
【００９９】
照明器具３０は、ＩＤ情報受渡部１６、３６の接続を検知すると、ＩＤ情報受渡部１６、３６を介して照明操作装置１０に電力を供給する（Ｓ５２）。
【０１００】
照明操作装置１０は、その電力を受給することで動作開始する（Ｓ５３）。しかし、照明操作装置１０は個別識別情報を所有していないので、照明器具３０側から個別識別情報を送るように要求する（Ｓ５４）。
【０１０１】
そこで、照明器具３０は、自身を制御可能とする個別識別情報を第２のメモリ３２から読み出し、その個別識別情報をＩＤ情報受渡部１６、３６を介して照明操作装置１０に伝達する（Ｓ５５）。
【０１０２】
照明操作装置１０は、個別識別情報を受け取り、第１の制御部１３は、その個別識別情報を第１のメモリ１２に書き込み記憶させる（Ｓ５６）。
【０１０３】
照明操作装置１０の個別識別情報の書き込みが終了すれば、照明器具３０は、照明操作装置１０への電力供給を停止する（Ｓ５７）。
【０１０４】
電力供給を停止された照明操作装置１０は、動作停止する（Ｓ５８）。以上の動作フローにより、照明操作装置１０と照明器具３０とのペアリングを終了する。
【０１０５】
＜効果等＞
以上説明したように、本実施の形態に係る照明操作装置１０は、外部から個別識別情報を受け取る第１のＩＤ情報受渡部１６を有している。そして、照明器具３０を制御するのに先立ち、第１の制御部１３は、第１のＩＤ情報受渡部１６にて外部から受け取った個別識別情報を第１のメモリ１２に記憶させる。
【０１０６】
これによれば、簡単な操作で照明操作装置１０に個別識別情報を伝達し、照明操作装置１０と照明器具３０とのペアリングを容易に行うことができる。
【０１０７】
また、本実施の形態に係る照明装置１は、照明器具３０が、照明操作装置１０に個別識別情報を伝達する第２のＩＤ情報受渡部３６を有している。そして、照明操作装置１０で制御されるのに先立ち、第２の制御部３３は、第２のメモリ３２に記憶されている個別識別情報を第２のＩＤ情報受渡部３６を介して照明操作装置１０へ伝達する。
【０１０８】
これによれば、簡単な操作で照明操作装置１０に個別識別情報を伝達し、照明操作装置１０と照明器具３０とのペアリングを容易に行うことができる。
【０１０９】
なお、図１４では、照明操作装置１０と照明器具３０とを端子接続させてペアリングする例を示したが、ペアリング方法はこれに限られない。例えば、個別識別情報を所有する外部機器（ライター）を照明操作装置１０の第１のＩＤ情報受渡部１６に端子接続してペアリングを行うこともできる。
【０１１０】
また、ＮＦＣ（Near Field Communication）規格を利用してペアリングを行うこともできる。例えば、第１のＩＤ情報受渡部１６を無線通信可能な無線モジュールで構成し、個別識別情報を所有したＩＣカードを第１のＩＤ情報受渡部１６に接近させることで、照明操作装置１０に個別識別情報を伝達してもよい。この場合、操作部１４を移動させることで発電部１５に電力を発生させ、その電力をもとに照明操作装置１０を作動させればよい。
【０１１１】
以上、照明操作装置１０および照明装置１について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１１２】
例えば、実施の形態１において、照明器具３０および照明操作装置１０の台数はそれぞれ１台としているが、それに限られず、例えば、１台の照明器具３０を複数台の照明操作装置１０で制御してもよい。また、１台の照明操作装置１０を用いて複数台の照明器具３０を制御してもよい。
【０１１３】
また、実施の形態１では、照明器具３０としてシーリングライトを例に挙げて説明したが、それに限られず、ＬＥＤベースライトやＬＥＤダウンライドであってもよい。
【０１１４】
また、実施の形態１では、発電部１５として、圧電効果や電磁誘導を利用した例を示したが、それに限られず、磁歪効果を利用して発電してもよい。
【符号の説明】
【０１１５】
１      照明装置
１０、１０Ａ、１０Ｂ、１０Ｃ、１０Ｄ  照明操作装置
１１    第１の無線通信部
１２    第１のメモリ
１３    第１の制御部
１４    操作部
１４ａ  操作部の上部
１４ｂ  操作部の下部
１５    発電部
１６    第１のＩＤ情報受渡部
２０    ケース
２０ａ  取付部
２４ａ  ひも体
２４ｃ  棒体
３０    照明器具
３１    第２の無線通信部
３２    第２のメモリ
３３    第２の制御部
３４    光源
３６    第２のＩＤ情報受渡部
【図１】
2017139201.tif 000003
【図２】
2017139201.tif 000004
【図３】
2017139201.tif 000005
【図４】
2017139201.tif 000006
【図５】
2017139201.tif 000007
【図６】
2017139201.tif 000008
【図７】
2017139201.tif 000009
【図８】
2017139201.tif 000010
【図９】
2017139201.tif 000011
【図１０】
2017139201.tif 000012
【図１１】
2017139201.tif 000013
【図１２】
2017139201.tif 000014
【図１３】
2017139201.tif 000015
【図１４】
2017139201.tif 000016
【図１５】
2017139201.tif 000017